(57)【要約】【課題】  非接触型のＩＣカードや電子機器を収納するだけで、その非接触型のＩＣカードや電子機器に記録されている個人情報等のデータの電磁波による漏洩や改ざんを防止することが可能な収納ケースを提供する。【解決手段】  非接触でデータを読み取り可能な非接触型のＩＣカードや電子機器を収納するための収納ケース１０において、非接触型のＩＣカードや電子機器を収納したときに当該ＩＣカードや電子機器を覆って電磁波を遮蔽する電磁波シールド手段２を備える。収納ケース１０が非接触型のＩＣカードを収納するものである場合は、電磁波シールド手段２は、当該ＩＣカードを収納したときに当該ＩＣカードの両面を覆うようにする。【選択図】  図１
2004188215.tif 000002
【特許請求の範囲】
【請求項１】
非接触でデータを読み取り可能な非接触型のＩＣカードや電子機器を収納するための収納ケースにおいて、
非接触型のＩＣカードや電子機器を収納したときに当該ＩＣカードや電子機器を覆って電磁波を遮蔽する電磁波シールド手段を備えることを特徴とする収納ケース。
【請求項２】
前記電磁波シールド手段は、非接触型のＩＣカードを収納したときに当該ＩＣカードの両面を覆うことを特徴とする請求項１記載の収納ケース。
【請求項３】
前記電磁波シールド手段は、樹脂成分に金属粒子及び／又は導電性カーボン粒子を含む導電性層を備えることを特徴とする請求項１又は請求項２に記載の収納ケース。
【請求項４】
前記導電性層は、表面抵抗が５Ω／ｓｑ以下であることを特徴とする請求項３に記載の収納ケース。
【発明の詳細な説明】
【技術分野】
【０００１】
本発明は、非接触でデータを読み取り可能な非接触型のＩＣカードや電子機器を収納するための収納ケースに関するものであり、特に、非接触型のＩＣカードや電子機器に搭載されるＩＣチップに記録されているデータのセキュリティーを高めるための技術に関する。
【背景技術】
【０００２】
非接触でデータを読み取り可能な非接触型のＩＣカードは、その利便性から入退室などの管理や、キャッシュカードやクレジットカード、乗車券などの様々な用途に使用されている。また、近年では、この非接触型のＩＣカードの機能を携帯電話等の電子機器に搭載し、上記ＩＣカードと同様に、非接触でデータを読み取り書き込み可能とし、電子マネーや乗車券等として使用される傾向にある。非接触型のＩＣカードは、ＩＣチップや、そのＩＣチップに記録されているデータを送受信する送受信用アンテナが搭載されており、リーダライタ装置側から照射される誘導電磁波を、ＩＣカードの送受信用のアンテナとしてのアンテナコイルによって受信し、アンテナコイルで生じた誘導起電力をＩＣチップの駆動電力とするとともに、誘導電磁波に重畳された電磁波により非接触型のＩＣカードや電子機器に搭載されているＩＣチップに記録されたデータを読み取るようになっている。
【０００３】
かかる非接触型のＩＣカードや電子機器は、収納ケースに入れて携帯されることが多い。たとえば、下記の特許文献１には、非接触型のＩＣカードを収納するための収納ケースが開示されている。この収納ケースは、複数のプラスチックフィルムを重ね合わせて構成されており、プラスチックフィルムの間に非接触型のＩＣカードが収納されるようになっている。
【特許文献１】特開２００１−１１８０３９号公報
【発明の開示】
【発明が解決しようとする課題】
【０００４】
ところで、かかる非接触型のＩＣカードに搭載されるＩＣチップには、個人情報等のデータが蓄積されている場合が多い。しかし、このような非接触型のＩＣカードは、リーダライタ装置を接触させなくとも、ＩＣチップのデータの読み取りや書き込みが可能であり、ＩＣカードとリーダライタ装置との距離が密着型で数ｍｍ、遠隔型で１ｍ程度の距離があってもＩＣチップに記録されているデータの読み取りや書き込みが可能である。このため、非接触型のＩＣカードに搭載されるＩＣチップに記録されている個人情報等のデータが漏洩したり改ざんされるという問題が生じていた。特に、電車内などの人ごみの中で、非接触型のＩＣカードの所有者に近づき、小型のリーダライタ装置を用いて、直接触れることなく衣服の上から非接触型のＩＣカードに記録されているデータを所有者の知らないうちに盗み、個人情報等のデータが悪用されるなどの問題が発生しており、盗難防止に対して簡単な手法による迅速な対応が要求されている。非接触型のＩＣカードと同様の機能を備える非接触型の電子機器についても同様な問題が生じる。
【０００５】
そこで本発明では、非接触型のＩＣカードや電子機器を収納するだけで、それらに記録されている個人情報等のデータの電磁波による漏洩や改ざんを防止することが可能な収納ケースを提供することを目的とする。
【課題を解決するための手段】
【０００６】
本発明の収納ケースは、非接触でデータを読み取り可能な非接触型のＩＣカードや電子機器を収納するための収納ケースにおいて、非接触型のＩＣカードや電子機器を収納したときに当該非接触型のＩＣカードや電子機器を覆って電磁波を遮蔽する電磁波シールド手段を備えることを特徴とする。電磁波シールド手段は、非接触型のＩＣカードの片面を覆うものでも、両面を覆うものでも良い。電磁波シールド手段としては、電磁波を反射して遮蔽するものでも、電磁波を減衰させて遮蔽するものでも良い。また、電磁波シールド手段は、非接触型のＩＣカードの駆動不可能な強度、或いは、通信不可能な強度に減衰させるものであれば良く、完全な遮断は要しない。
【０００７】
この発明によれば、収納ケースに非接触型のＩＣカードや電子機器を収納すると、この収納された非接触型のＩＣカードや電子機器は電磁波シールド手段で覆われた状態となるため、これらに記録されているデータの電磁波による読み取りや書き込みが不可能となる。したがって、非接触型のＩＣカードや電子機器をこの収納ケースに収納するだけで、これらに記録されている個人情報等のデータの電磁波による漏洩や改ざんを防ぐことができる。
【０００８】
収納ケースが非接触型のＩＣカードを収納するものである場合は、前記電磁波シールド手段は、非接触型のＩＣカードを収納したときに当該非接触型のＩＣカードの両面を覆うことが好ましい。本発明によれば、非接触型のＩＣカードの両面が覆われているため、当該非接触型のＩＣカードの両面において電磁波を遮蔽し（図３（ｂ）参照）、漏洩や改ざん防止効果を飛躍的に高めることができる。
【０００９】
上記非接触型のＩＣカードや電子機器が収納される収納ケースは、前記電磁波シールド手段が樹脂成分に金属粒子及び／又は導電性カーボン粒子を含む導電性層を備えることが好ましい。電磁波シールド手段が金属板や金属箔などの場合は、折れや破れ等の破損が生じやすい。この発明によれば、電磁波シールド手段は、樹脂成分に金属粒子及び／又は導電性カーボン粒子を含む導電性層を備えるものであるため、柔軟性・屈曲性に優れ、使用時における割れや破れ等の破損が生じにくく、耐久性の優れたものとなる。
【００１０】
上記電磁波シールド手段の前記導電性層は、表面抵抗が５Ω／ｓｑ以下であることが好ましく、さらには１Ω／ｓｑ以下であることが好ましい。電磁波シールド手段は、導電性層の表面抵抗が低い程、電磁波シールド性能が高まる。導電性層の表面抵抗が５Ω／ｓｑ以下、さらには１Ω／ｓｑ以下であれば電磁波シールド性能（遮蔽性能）が充分に得られ、非接触型のＩＣカードや電子機器に記録されているデータの漏洩や改ざんを効果的に防止することができる。表面抵抗は低い程良く、限りなく０Ω／ｓｑに近いものでも良い。
【００１１】
さらに、前記電磁波シールド手段の導電性層は、導電性層中の金属含有量が１０質量％以上９８質量％以下であることを特徴とする。金属含有量が１０質量％未満であると充分な電磁波シールド効果が得られず、９８質量％を超えると屈曲性が悪くなる。本発明によれば、金属含有量が１０質量％以上９８質量％以下であるため、充分な電磁波シールド効果を発揮し、且つ、屈曲性の良い収納ケースとなる。
【００１２】
さらに、漏洩や改ざん防止の観点からは、非接触型のＩＣカードや電子機器を収納したときに、非接触型のＩＣカードや電子機器と電磁波シールド手段との隙間が２ｍｍ以内であり、さらには密着状態にあることが好ましい。これは、電磁波シールド手段が非接触型のＩＣカードの片面を覆う収納ケースにも、両面を覆う収納ケースに、電子機器を収納する収納ケースにも適用可能である。実験の結果から、非接触型のＩＣカードや電子機器とリーダライタ装置との間に電磁波シールド手段が介在しない場合（図３（ａ）参照）は、非接触型のＩＣカードや電子機器と電磁波シールド手段との隙間が２ｍｍ以内であり、さらには密着状態にあると、データの読み取りや書き込みが不可能となる。この発明によれば、非接触型のＩＣカードや電子機器と電磁波シールド手段との隙間が２ｍｍ以内であるため、データの読み取りや書き込みが不可能となり、漏洩や改ざんを確実に防止することができる。
【００１３】
さらに、前記収納ケースは、非接触型のＩＣカードや電子機器が収納される収納空間を形成する本体部分と、本体部分に対して接離自在なカバー部分とを備え、本体部分に対してカバー部分を接するように閉じた状態とすると非接触型のＩＣカードや電子機器の少なくとも一部が前記電磁波シールド手段に覆われ、本体部分に対してカバー部分を離すように開いた状態とすると非接触型のＩＣカードや電子機器の少なくとも一部が電磁波シールド手段に覆われない状態となることが好ましい。
【００１４】
また、上記非接触型のＩＣカードが収納される収納ケースは折り畳み可能であり、折り畳んだ内側に非接触型のＩＣカードを収納する収納空間を備え、折り畳み状態においては非接触型のＩＣカードが前記電磁波シールド手段に覆われ、開いた状態においては非接触型のＩＣカードの少なくとも一部が電磁波シールド手段から露出されるよう構成されていることが好ましい。
【００１５】
上記のように収納ケースがカバー部分を有する場合や折り畳み式の場合においては、利便性の観点からは、非接触型のＩＣカードや電子機器を収納してカバー部分を開くか又は折り畳みを開いたときに、非接触型のＩＣカードや電子機器と電磁波シールド手段との隙間が３ｍｍ以上にあることが好ましい。実験の結果、非接触型のＩＣカードや電子機器とリーダライタ装置との間に電磁波シールド手段が介在しない場合（図３（ａ）参照）は、非接触型のＩＣカードと電磁波シールド手段との隙間が３ｍｍ以上であれば、非接触型のＩＣカードに記憶されているデータの電磁波による読み取りや書き込みが可能となることがわかった。本発明によれば、非接触型のＩＣカードや電子機器を使用する場合は、非接触型のＩＣカードや電子機器を収納ケースから取り出すことなく、カバー部分を開いたり、折り畳みを開いたりして、リーダライタ装置と非接触型のＩＣカードや電子機器の間に電磁波シールド手段が介在しない状態とした後に、リーダライタ装置にかざすだけの簡単な動作で、非接触型のＩＣカードや電子機器に記録されているデータの電磁波による読み取りや書き込みが可能となり、使用時の利便性が向上する。
【発明の効果】
【００１６】
本発明の非接触型のＩＣカードや電子機器を収納する収納ケースによれば、収納ケースに非接触型のＩＣカードや電子機器を収納すると、その非接触型のＩＣカードや電子機器は電磁波シールド手段で覆われた状態となり、非接触型のＩＣカードや電子機器に記録されているデータの電磁波による読み取りや書き込みが不可能となる。したがって、非接触型のＩＣカードや電子機器をこの収納ケースに収納するだけで、ＩＣチップに記録されている個人情報等のデータの電磁波による漏洩や改ざんを防ぐことができる。特に、非接触型のＩＣカードについては電磁波シールド手段で両面を覆うことにより、漏洩や改ざん防止効果を飛躍的に高めることができる。個人情報等のデータの盗難防止には迅速な対応が望まれるが、収納ケースに収納するだけで良いため、簡単且つ迅速に盗難を防止することができる。また、上記のように収納ケースを、カバー部分を備えるものや、折り畳み式のものとすると、収納ケースに収納したままの状態としながらも、必要に応じて読み取りや書き込みを可能とすることもできる。
【発明を実施するための最良の形態】
【００１７】
以下、本発明の非接触型のＩＣカードや電子機器を収納する収納ケースについて、図面を参照しながら詳細に説明する。
【００１８】
（第１の実施の形態）
図１は、本実施の形態の収納ケース１０の斜視図であり、（ｂ）はその断面図である。本実施の形態の収納ケース１０は、非接触型のＩＣカードを収納する収納ケースであり、電磁波シールド手段２（表側シート２ａと内側シート２ｂと裏側シート２ｃ）を備える。本実施の形態では、この表側シート２ａと内側シート２ｂと裏側シート２ｃとが非接触型のＩＣカードを覆って電磁波を遮蔽する電磁波シールド手段２としての機能を果たす。
【００１９】
電磁波シールド手段２は、表側シート２ａと内側シート２ｂと裏側シート２ｃとで構成される。各シート２ａ，２ｂ，２ｃは、大きさの異なる長方形状のシートである。この各シート２ａ，２ｂ，２ｃは、三辺側が揃うように大きさ順に重ね合わされて三辺側が縫合等により接合されており、他の一辺側に挿入口３ａ，３ｂが形成されるとともに、各シート２ａ，２ｂ，２ｃの間に非接触型のＩＣカードを収納するための収納空間が二つ形成されている。各シート２ａ，２ｂ，２ｃの三辺側が縫合等により接合されているために、表裏面のみならず、左右両サイドと挿入口３ａ，３ｂと反対側もシールドされている。挿入口３ａ，３ｂは、非接触型のＩＣカードが出し入れできるものであれば良く、例えば二辺側が接合されることなく挿入口となっていても良い。また、各シート２ａ，２ｂ，２ｃは非接触型のＩＣカードよりも小さいことが好ましい。これにより、非接触型のＩＣカードを挿入したときに挿入口３ａ，３ｂから非接触型のＩＣカードの一部が突出した状態となり、この突出した部分を摘んで取り出すことができる。
【００２０】
図２（ａ）は本実施の形態の電磁波シールド手段２（各シート２ａ，２ｂ，２ｃ）の断面図である。電磁波シールド手段２（各シート２ａ，２ｂ，２ｃ）は、基材シートＡの上に電磁波を遮蔽する導電性層Ｂを積層した二層構造となっている。
【００２１】
上記基材シートＡは、塩化ビニル、ポリエチレン、エチレン−酢酸ビニル共重合体、ポリオレフィン、ポリエステル、ポリウレタン、ナイロンなどからなる樹脂フィルムや、綿、麻、羊毛、アセテート、レーヨン、ポリエステル、ナイロン、アラミドなどを用いた織物、編物、不織布などの繊維布帛や、紙などであり、柔軟性・屈曲性に優れたシート状のものであれば良い。
【００２２】
導電性層Ｂは、樹脂材料に金属粒子や導電性カーボン粒子などの導電性粒子を混合したものや、アルミ板などの金属板や、アルミ箔などの金属箔や、蒸着やスパッタリングにより形成される金属膜、導電性繊維やメッキ布を用いて形成される布帛などが挙げられる。これらのうち、導電性層Ｂとしては、樹脂材料に導電性粒子（金属粒子や導電性カーボン粒子等）を混合したものが好ましい。樹脂材料に導電性粒子を含む導電性層であれば柔らかく且つ屈曲性能に優れている為、使用時における割れや破れ等の破損を防ぐことができる。
【００２３】
上記導電性層Ｂの主成分となる樹脂成分としては特に制限はなく、例えば、ポリウレタン系、ポリエステル系、ポリアミド系、アクリル系、シリコーン系、ポリフッ素系、ポリエチレン系、スチレンブタジエン系、ニトリルブタジエン系、エポキシ系などの合成樹脂を用いることができる。これらの合成樹脂は、溶剤に溶解した溶液、水に乳化分散したエマルジョン、チップ状の固形体などの形態で入手できる。
【００２４】
上記導電性層Ｂに含まれる導電性粒子の材料としては、金、銀、銅、アルミニウム、ニッケル、亜鉛、白金、チタン、コバルト、ベリリウム、パラジウムなどの金属またはこれらの金属を含む合金などの導電性を有するものが挙げられる。特に、銀等の抗菌性を有する金属を使用すれば抗菌・防カビ効果を発揮する。これらの導電性粒子は粉末状であり、その平均粒子径は、電磁波シールド（遮蔽）効果を充分に得られる範囲として０．１〜２０．０μｍであることが好ましい。その形状は、球状、針状、鱗片状等いずれであってもよいが、鱗片状のものが好ましく、さらに好ましくは鱗片状の導電性粒子の中にこれに比べて平均粒子径が小さい導電性粒子が少量混ざっているものが好ましい。電磁波シールド手段２（各シート２ａ，２ｂ，２ｃ）は、導電性層Ｂの表面抵抗が低い程電磁波シールド（電磁波を遮蔽する）効果が高くなることから、導電性粒子を鱗片状やそれより小さい平均粒子径の混合とすることにより導電性層Ｂの表面抵抗を下げて電磁波シールド効果を高めることができる。
【００２５】
また、導電性層Ｂの表面抵抗は、電磁波シールド機能が十分に発揮されることから、５Ω／ｓｑ以下であることが好ましく、さらには１Ω／ｓｑ以下であることが好ましい。表面抵抗が小さいほど電磁波シールド効果が高まるため、表面抵抗の下限はできるだけ小さい方がよく、限りなく０Ω／ｓｑに近いものでも良い。表面抵抗は、上記の金属の種類、添加量、導電層の厚み、後述する製造方法を適切に組み合わせることで調節可能である。ここで、表面抵抗は表面抵抗測定器を用い、ＪＩＳ  Ｋ−７１９４に準拠して測定された値のことである。導電性層Ｂの厚さは特に限定はされないが、収納ケースとしての使いやすさから、５μｍ〜２０００μｍ程度であるとよい。
【００２６】
導電性層Ｂの金属含有量は、導電性層Ｂの質量中、１０〜９８質量％であることが好ましく、さらには５０〜９５質量％であることが好ましい。金属種によって金属含有量の好ましい領域は異なるが、必要以上に多くなると柔軟性が阻害され、少なすぎると電磁波シールド効果が十分に発揮されない。また、基材シートＡと導電性層Ｂとの接着性の観点からは、導電性層Ｂ中の金属含有量は５０〜９８質量％であることが好ましく、７５〜９５質量％であることがさらに好ましい。
【００２７】
なお、基材シートＡと導電性層Ｂとの接着性、及び、電磁波シールド性能の両方の観点から望ましい条件としては、金属として鱗片状の金属、樹脂成分としてウレタン樹脂を用い、導電性層Ｂ中の金属含有量が８０〜９５質量％であることが好ましい。実際に、ウレタン樹脂の中に銀９０質量％を含む導電性層を繊維布帛の表面に貼り合わせたものと、厚み８０μｍのアルミ箔を導電性層として繊維布帛の表面に貼り合わせたものと、ポリエステルフィルムの表面にアルミニウムを蒸着させたものとの三通りの電磁波シールド手段を製造して比較したところ、いずれも電磁波シールド手段として十分な電磁波シールド性能を発揮した。そのうち、ウレタン樹脂の中に銀９０質量％を含む導電性層を繊維布帛の表面に貼り合わせた電磁波シールド手段は、柔軟性・屈曲性が高いことから、破れや折れ等の破損が生じにくく、耐久面において良好であった。
【００２８】
図２（ｂ）は本実施の形態の電磁波シールド手段２（各シート２ａ，２ｂ，２ｃ）の他の例の断面図である。上記電磁波シールド手段２は、基材シートＡの表面に導電性層Ｂが形成される二層構造であるが、二枚の基材シートＡ，Ａの間に導電性層Ｂが挟持されるように三層構造としても良い。これによれば、導電性層Ｂが基材シートＡ，Ａにより保護されるため、非接触型のＩＣカードを出し入れ等しても導電性層Ｂが破損することがなく、電磁波シールド（遮蔽）効果を維持することができる。電磁波シールド手段２は、複数の基材シートＡ，，，Ａと複数の導電性層Ｂ，，，Ｂとが交互に積層された多層構造でも良い。また、図２（ｃ）に示すように、基材シートＡを使用することなく、導電性粒子を混合した樹脂材料をシート状に成形した一層構造のものでも良い。
【００２９】
電磁波シールド手段を、織物や編物や不織布等の繊維布帛や紙やフィルム等のシート状の基材に導電性層を貼着や塗布等により積層したものとすれば、様々な形状に簡単に加工することができ、使用時の強度や意匠性が高く、縫製や製造の容易さの面からも好ましい。たとえば、収納ケースを、財布型・定期入れ型・巾着等の袋型としたり、ポケット型として衣類やバック等に取付けることも可能である。
【００３０】
本実施の形態の収納ケース１０の使用例を説明する。使用者は、非接触型のＩＣカードを使用しない時、例えば自宅や勤務先のデスク内に置いておく場合や、バッグやポケットに入れて携帯する場合は、収納ケース１０に収納した状態とする。収納ケース１０に非接触型のＩＣカードを収納すると、非接触型のＩＣカードが電磁波シールド手段２（各シート２ａ，２ｂ，２ｃ）で覆われた状態となり、リーダライタ装置からの電磁波が遮蔽されて非接触型のＩＣカードに記録されているデータの電磁波による読み取りや書き込みが不可能となる。たとえ電車内等の人ごみでリーダライタ装置により非接触型のＩＣカードに記録されているデータが盗難されそうになっても、リーダライタ装置からの電磁波は電磁波シールド手段２により遮蔽されるため、電磁波により盗難されることはない。個人情報等のデータの盗難防止には迅速な対応が望まれるが、収納ケース１０に収納するだけで良いため、簡単且つ迅速に盗難を防止することができる。
【００３１】
特に、非接触型のＩＣカードに関しては、本実施の形態のように両面が電磁波シールド手段２に覆われる構成であれば、漏洩や改ざんを効果的に防止できる。図３（ｂ）に示すように、非接触型のＩＣカードの両面が覆われる場合は、いずれの面からもリーダライタ装置からの誘起電磁波が遮蔽されるため、誘起起電力が生じることがなく、ＩＣチップのデータの読み取りや書き込みが不可能となり、漏洩や改ざん防止効果を飛躍的に高めることができる。
【００３２】
（第１の実施の形態における他の例１）
本実施の形態における他の例１の収納ケース１０ａは、非接触型のＩＣカードの片面のみが電磁波シールド手段２に覆われる場合の例である。図４（ａ）は、例１の収納ケース１０ａの斜視図であり、（ｂ）はその断面図である。シート状の電磁波シールド手段２の両面に、表側シート７ａと裏側シート７ｂが縫合等により連結され、各々の間に収納空間３ａ，３ｂが形成されるとともに一方に挿入口を有している。表側シートと裏側シートとは、電磁波シールド効果を有しない革や樹脂製のシートである。非接触型のＩＣカードを収納した状態において、非接触型のＩＣカードと電磁波シールド手段２との隙間は２ｍｍ以内であり、さらに好ましくは密着した状態となっている。図３（ａ）に示すように、実験の結果、電磁波シールド手段２と非接触型のＩＣカードとの隙間Ｈが２ｍｍ以内である場合は、非接触型のＩＣカードとリーダライタ装置との間に電磁波シールド手段が介在しない場合においても読み取りや書き込みが不可能となる。この例１の収納ケース１０ａによれば、上記隙間Ｈが２ｍｍ以内であり、さらには密着した状態であるため、たとえ電磁波シールド手段２により片面のみが覆われていたとしても、充分な漏洩や改ざん防止効果が得られる。
【００３３】
（本実施の形態における他の例２）
収納ケースが非接触型のＩＣカードと同様の機能を備える非接触型の電子機器を収納するものである場合は、その非接触型の電子機器に合う形状の収納ケースとする。たとえば、非接触型の電子機器が携帯電話である場合は、携帯電話を覆うような略直方体形状とする。図５に、携帯電話を収納する収納ケース１０ｂの斜視図を示す。収納ケース１０ｂは、複数枚のシート状の電磁波シールド手段２を縫合等により接合して略直方体形状に成形し、上方に挿入口３が形成されている。挿入口３には開閉自在な蓋が設け、電子機器である携帯電話全体を電磁波シールド手段２により覆うように構成することが好ましい。携帯電話を携行する際には挿入口３から携帯電話を挿入して収納し、ポケットやバッグ等に入れておく。携帯電話を使用する際には挿入口３から取り出して使用する。収納ケース１０ｂに収納した携帯電話は、電磁波シールド手段２により覆われた状態となるため、携帯電話に記録されているデータの電磁波による読み出しや書き込みが不可能となる。
【００３４】
（本実施の形態における他の例３）
収納ケースに様々なものを収納させたい場合などには、収納ケースを袋状とする。図６に、袋状の収納ケース１０ｃを示す。収納ケース１０ｃは、シート状の電磁波シールド手段を縫合等により挿入口３を有する袋状にしたものであり、挿入口３を封止する封止手段Ｆを備える。封止手段Ｆは、例えば巾着袋のように、挿入口３付近を絞ってから縛る紐状のものでも、挿入口３付近に取付けられて伸縮することにより挿入口３を開閉するゴム状のものでも良い。また、封止手段Ｆは、例えば封筒のように、挿入口付近を折り返すことにより挿入口３を開閉するものでも良い。収納ケースを袋状とすることにより、大きさや形状や個数に制限されることなく、様々な非接触型の電子機器を収納したり、非接触型のＩＣカードや電子機器をまとめて収納しておくことができる。
【００３５】
（第２の実施の形態）
本実施の形態の収納ケース２０は、図７（ａ）（ｂ）に示すように非接触型のＩＣカードが収納される収納空間を形成する本体部分５と、本体部分５に対して接離自在なカバー部分４とを備える。収納ケース２０は、中央付近で折り畳み可能となっており、折り畳み線Ｌを境界として一方側が本体部分５、他方側がカバー部分４となっている。
【００３６】
本体部分５は、長方形のシート状の電磁波シールド手段２ｄの一方側半分の領域と、内側シート６とから構成される。電磁波シールド手段２ｄの折り畳み線Ｌを境界として一方側半分の領域に内側シート６が重ね合わされ、内側シート６の三辺側端部が電磁波シールド手段２ｄに縫製等により接合されており、内側シート６と電磁波シールド手段２ｄとの間に収納空間が形成されるとともに収納空間に続く挿入口３が形成されている。
【００３７】
電磁波シールド手段２ｄの材質等の点については、上記実施の形態の電磁波シールド手段２と同様である。内側シート６には、中央付近に開口６ａが設けられ、開口６ａを塞ぐように透明な樹脂フィルム等から成る開口用シートが取付けられている。内側シート６と開口用シートは、電磁波シールド性を有する材料でも有しない素材でも良い。
【００３８】
カバー部分４は、電磁波シールド手段２ｄの折り畳み線Ｌを境界として他方側半分の領域で構成されており、折り畳み線Ｌで折り畳むと、カバー部分４が本体部分５に接した状態となり、内側シート６に対して蓋をするような役割を果たす。折り畳みを解除して開いた状態とするとカバー部分４が本体部分５から離れた状態となり、内側シート６を覆っていた蓋が開けられたような状態となる。
【００３９】
収納ケース２０を使用する場合は、まず挿入口３から非接触型のＩＣカードを挿入して収納空間に収納する。非接触型のＩＣカードを使用しないときは、収納ケース２０を折り畳み線Ｌを境界として二つに折り畳んだ状態としておく。折り畳み状態とすると、折り畳んだ内側に本体部分５の収納空間が位置し、収納空間に収納された非接触型のＩＣカードは電磁波シールド手段２ｄの間に挟み込まれて両面が覆われた状態となり、データの漏洩や改ざんが防止される。非接触型のＩＣカードを使用するときは、非接触型のＩＣカードを収納ケース２０から取り出して使用する。
【００４０】
開口６ａは設けられなくとも良いが、開口６ａを設けることにより収納された非接触型のＩＣカードを開口６ａから視認できるため好ましい。また、開口用シートは設けなくとも良いが、非接触型のＩＣカードの保護の観点からは開口用シートを設ける方が良い。
【００４１】
また、本体部分５の総てが電磁波シールド効果を有しない素材で構成され、カーバ部分４のみが電磁波シールド効果を有する素材で構成されており、カバー部分４のみが電磁波シールド手段として機能するものでも良い。使用に際しては、カバー部分４を開くだけで、非接触型のＩＣカードから電磁波シールド手段（すなわち、カバー部分４）が３ｍｍ以上離れることとなり、データの読み取りや書き込みが可能となる。一方、使用しないときには、カバー部分４を閉じることにより非接触型のＩＣカードと電磁波シールド手段との隙間が２ｍｍ以内（ほぼ密着状態）となり、非接触型のＩＣカードの片面のみが電磁波シールド手段で覆われていても、漏洩や改ざん防止効果が充分に得られる。すなわち、カバー部分の開閉のみで、ＩＣチップに記録されているデータの読み取りや書き込みの可／不可を制御でき、利便性に優れた収納ケースとなる。
【００４２】
（第２の実施の形態における他の例）
本実施の形態における他の例としては、図８に示すように、上記折り畳み可能な収納ケース２０に、別途紙幣や硬貨を収納するスペースＳを設けた財布型の収納ケース２０ａとしても良い。これによれば、収納ケース２０ａは財布としても使用可能となるため、実用性が向上する。
【００４３】
（第３の実施の形態）
図９（ａ）は本実施の形態の収納ケース３０の斜視図であり、図９（ｂ）はその断面図である。収納ケース３０は、非接触型のＩＣカードを収納するものであり、上記第２の実施の形態の折り畳み式の収納ケース２０とほぼ同様であるが、本体部分５には収納空間を二つに仕切る仕切り用シート８が設けられている。仕切り用シート８は、電磁波シールド効果を有しない革や樹脂等のシートである。この仕切り用シート８は、内側シート６の収納空間側の面に縫合等により三辺側端部が接合されており、接合されていない上方の挿入口から内側シート６と仕切り用シート８の間にＩＣカードを収納可能となっている。本体部分５の内側シート６と電磁波シールド手段２ｄとはマチＭを介して接合されている。マチＭにより、仕切り用シート８と電磁波シールド手段２ｄとの隙間に所定の間隔が維持されるように構成されている。マチＭは、非接触型のＩＣカードを収納したときに、非接触型のＩＣカードと本体部分５を構成する電磁波シールド手段２ｄとの隙間Ｈが３ｍｍ以上となる幅を有する。また、カバー部分４と本体部分５の外側部分（すなわち、長方形のシート状の電磁波シールド手段２ｄ）は、電磁波シールド効果のある素材で構成されており、電磁波シールド手段として機能するが、内側シート６は電磁波シールド効果のない素材で構成されている。マチＭは、電磁波シールド手段２ｄと同様に、電磁波シールド手段としての機能を備えるほうが好ましいが、電磁波シールド効果を備えないものとして両面のみが電磁波シールド手段に覆われるようにしても良い。
【００４４】
非接触型のＩＣカードを収納ケース３０に収納するときは、非接触型のＩＣカードを仕切り用シート８と内側シート６との間に収納する。収納された非接触型のＩＣカードは仕切り用シート８により本体部分５を構成する電磁波シールド手段２ｄ側への移動が遮られ、隙間Ｈが３ｍｍ以上に維持される。非接触型のＩＣカードを使用する場合は、非接触型のＩＣカードを収納ケース３０から取り出すことなく、カバー部分４を開いたり、折り畳みを開いたりすることにより、リーダライタ装置と非接触型のＩＣカードの間に電磁波シールド手段２ｄが介在しない状態とした後に、リーダライタ装置にかざす。ＩＣカードと電磁波シールド手段２ｄとの間には３ｍｍ以上の隙間Ｈが形成されているため、データの読み取りや書き込みが可能となる。非接触型のＩＣカードを使用しないときは、カバー部分４を閉じた状態とするだけで、非接触型のＩＣカードの両面が電磁波シールド手段２ｄに覆われた状態となり、漏洩や改ざんが確実に防止される。すなわち、カバー部分４を開閉だけの簡単な動作で、非接触型のＩＣカードに記録されているデータの電磁波による読み取りや書き込みの可／不可が制御可能となり、利便性が向上する。
【００４５】
本実施の形態では、上記隙間Ｈは３ｍｍ以上であるが、さらには５ｍｍ以上であると、読み取りや書き込みが確実となるため好ましい。また、本実施の形態の収納ケース３０は、上記第２の実施の形態の収納ケース２０にマチＭを設けたものであるが、上記第１の実施の形態の収納ケース１０にマチＭを設けたものでも良い。なお、隙間Ｈの上限は例えばバッグやカードケース等のようにその収納ケースの目的等に応じて決められるものであり、一概に限定されるものではないが、データの漏洩や改ざん防止等のセキュリティーの観点から１ｃｍ以内であることが好ましい。
【００４６】
（本実施の形態における他の例）
また、本実施の形態は、電子機器が収納される収納ケース３０ａであっても良い。図１０に示すように、本実施の形態における他の例の収納ケース３０ａは、上記第１の実施の形態における例２の収納ケース１０ｂとほぼ同様であるが、収納ケース３０ａの本体部分５の一側面において、非接触でＩＣチップのデータを送受信するアンテナに対応する位置に開口５ａが設けられ、本体部分５にカバー部分４を接離させることにより開口５ａを開閉するような構成となっている。携帯電話をリーダライタ装置にかざすときは、カバー部分４を本体部分５から離して開口させた状態とする。電子機器が収納される場合は、その電子機器に内蔵される上記送受信アンテナの位置に応じて開口５ａを設ければ良い。
【００４７】
収納ケースは上記各実施の形態のものに限られず、例えば、少なくとも外側部材が上記電磁波シールド手段により構成されるバック型の収納ケースや、衣服やバックのポケット部を電磁波シールド素材にて製造したポケット型の収納ケースや、健康保険証等の書類を挟みこみ可能な書類カバー型の収納ケースなどであってもよい。
【図面の簡単な説明】
【００４８】
【図１】（ａ）は本発明の第１の実施の形態における収納ケースの斜視図、（ｂ）はその断面図。
【図２】本発明の電磁波シールド手段の断面図。
【図３】電磁波シールド手段がＩＣカードの片面のみを覆う場合と、両面を覆う場合の電磁波シールド効果の比較を説明する説明図。
【図４】上記第１の実施の形態における他の例１の収納ケースを示す図。
【図５】上記第１の実施の形態における他の例２の収納ケースを示す図。
【図６】上記第１の実施の形態における他の例３の収納ケースを示す図。
【図７】（ａ）は本発明の第２の実施の形態における収納ケースを示す斜視図、（ｂ）はその断面図。
【図８】（ａ）は上記第２の実施の形態における他の例の収納ケースを示す斜視図、（ｂ）はその断面図。
【図９】（ａ）は本発明の第３の実施の形態における収納ケースの斜視図、（ｂ）はその断面図。
【図１０】上記第３の実施の形態における他の例の収納ケースを示す図。
【符号の説明】
【００４９】
１０，１０ｂ，１０ｃ,  ２０，２０ａ，３０，３０ａ  収納ケース
２    電磁波シールド手段
２ａ  表側シート（電磁波シールド手段）
２ｂ  内側シート（電磁波シールド手段）
２ｃ  外側シート（電磁波シールド手段）
２ｄ  電磁波シールド手段
３，３ａ，３ｂ  挿入口
４    カバー部分
５    本体部分
６    内側シート
６ａ  内側シートの開口
７ａ  表側シート
７ｂ  裏側シート
８    仕切り用シート
Ａ    基材シート
Ｂ    導電性層
Ｆ    封止手段
Ｌ    折り畳み線
Ｓ    紙幣や硬貨を収納するスペース
Ｍ    マチ
【図１】
2004188215.tif 000003
【図２】
2004188215.tif 000004
【図３】
2004188215.tif 000005
【図４】
2004188215.tif 000006
【図５】
2004188215.tif 000007
【図６】
2004188215.tif 000008
【図７】
2004188215.tif 000009
【図８】
2004188215.tif 000010
【図９】
2004188215.tif 000011
【図１０】
2004188215.tif 000012